(57)【要約】【課題】消火装置の警報バルブの製造／組み立ての際の装置的および時間的な手間と費用を軽減し、とりわけ動作安全性を向上する。【解決手段】本発明は、消火装置バルブ（１）に関し、消火装置バルブ（１）は、ケーシング（２、３）を備え、ケーシング（２、３）は、流体入口室（８）、流体出口室（９）、および阻止状態と解放状態との間で往復運動可能な閉鎖体（４ａ）を有し、流体入口室（８）と流体出口室（９）は、阻止状態では互いに分離されており、解放状態では流体的に互いに連通している。本発明により、少なくとも一つの圧力センサ（６）がケーシング（２、３）に組み込まれていることが提案される。【選択図】図１
2018504953.tif 000002
【特許請求の範囲】
【請求項１】
ケーシング（２、３）を備えた消火装置バルブ（１）であって、
前記ケーシング（２、３）は、流体入口室（８）、流体出口室（９）、および阻止状態と解放状態との間で往復運動可能な閉鎖体（４ａ）を有し、前記流体入口室（８）と前記流体出口室（９）は、阻止状態では互いに分離されており、解放状態では流体的に互いに連通しているという消火装置バルブであり、
少なくとも一つの圧力センサ（６）が、前記ケーシング（２、３）に組み込まれていること
を特徴とする消火装置バルブ。
【請求項２】
前記圧力センサ（６）は、前記流体入口室（８）内の圧力を検出するように構成されていること
を特徴とする、請求項１に記載の消火装置バルブ。
【請求項３】
前記圧力センサ（６）は、前記流体出口室（９）内の圧力を検出するように構成されていること
を特徴とする、請求項１または２に記載の消火装置バルブ。
【請求項４】
前記圧力センサ（６）は、警報チャネル（５）内の圧力を検出するように構成されていること
を特徴とする、請求項１から３のいずれか一項に記載の消火装置バルブ。
【請求項５】
複数の圧力センサ（６）を備え、それぞれ少なくとも一つの圧力センサ（６）が設けられて、前記流体入口室（８）内の圧力、および／または前記流体出口室（９）内の圧力、および／または警報チャネル（５）内の圧力を検出するように構成されていること
を特徴とする、請求項１から４のいずれか一項に記載の消火装置バルブ。
【請求項６】
表示ユニット（４０）が、前記ケーシング（２、３）に組み込まれていること
を特徴とする、請求項１の上位概念部に記載、または請求項１から５のいずれか一項に記載の消火装置バルブ。
【請求項７】
前記圧力センサ（６）は、検出された圧力データを出力するために、および／または検出された圧力データに依存して求められた情報を出力するために、表示ユニット、好ましくは前記ケーシングに組み込まれた表示ユニット（４０）、と接続されていること
を特徴とする、請求項１から６のいずれか一項に記載の消火装置バルブ。
【請求項８】
前記圧力センサ（６）は、検出された圧力データを保存するためにデータメモリ（１６）と接続されていること
を特徴とする、請求項１から７のいずれか一項に記載の消火装置バルブ。
【請求項９】
表示ユニット（４０）が、前記データメモリ（１６）および／または一つ以上の外部の圧力センサと接続されており、そこに保存されたないしそこから伝送された圧力データを出力するように構成されていること
を特徴とする、請求項８に記載の消火装置バルブ。
【請求項１０】
組み込まれた圧力センサ（６）、および／またはデータメモリ（１６）、および／または一つ以上の外部の圧力センサは、検出された圧力データを読み出し、遠隔伝送するためにデータインタフェース（１０）と接続されていること
を特徴とする、請求項１から９のいずれか一項に記載の消火装置バルブ。
【請求項１１】
電子的評価装置（５０）が設けられており、該電子的評価ユニット（５０）は、データの受信のために、および／または前記消火装置バルブ（１）の状態情報の伝送のために、以下のエレメント、即ち、少なくとも一つの組み込まれた圧力センサ（６）、表示ユニット（４０）、データインタフェース（１０）、データメモリ（１６）、一つ以上の外部の圧力センサのうち、一つ、複数またはすべてと接続されていること
を特徴とする、請求項１から１０のいずれか一項に記載の消火装置バルブ。
【請求項１２】
前記電子的評価ユニット（５０）は、前記圧力センサ（６）および／または前記データメモリ（１６）および／または一つ以上の外部の前記圧力センサから得られた圧力データをあらかじめ規定された限界値と比較し、これらの限界値を超過または下回る際に、状態情報として代表する信号を伝送するように構成されていること
を特徴とする、請求項１１に記載の消火装置バルブ。
【請求項１３】
前記閉鎖体（４ａ）は、制御駆動部を有し、前記電子的評価ユニット（５０）は、前記閉鎖体（４ａ）を前記制御駆動部によって選択的に解放位置または阻止位置にもたらすように構成されていること
を特徴とする、請求項１１または１２に記載の消火装置バルブ。
【請求項１４】
以下のエレメント、即ち、表示ユニット（４０）、データインタフェース（１０）、データメモリ（１６）、電子的評価ユニット（５０）のうち、一つ、複数またはすべてが前記ケーシング（２、３）に組み込まれていること
を特徴とする、請求項７から１３のいずれか一項に記載の消火装置バルブ。
【請求項１５】
前記ケーシング（２）は、好ましくはハンドホールカバーとして構成されているケーシングカバー（３）を有すること
を特徴とする、請求項１から１４のいずれか一項に記載の消火装置バルブ。
【請求項１６】
以下のエレメント、即ち、圧力センサ（６）、表示ユニット（４０）、データインタフェース（１０）、データメモリ（１６）、電子的評価ユニット（５０）のうち、一つ、複数またはすべてが前記ケーシングカバー（３）に組み込まれていること
を特徴とする、請求項１５に記載の消火装置バルブ。
【請求項１７】
前記消火装置バルブ（１）は、湿式警報バルブ、または乾式警報バルブ、または水噴射消火バルブ、パイロット制御される乾式警報バルブであること
を特徴とする、請求項１から１６のいずれか一項に記載の消火装置バルブ。
【請求項１８】
消火装置、特にスプリンクラー消火装置または水噴射消火装置であって、
流体パイプ（１１）を阻止および解放するために、請求項１から１７のいずれか一項に記載の消火装置バルブ（１）が配置されている一つ以上の流体パイプ（１１）を備えたこと
を特徴とする消火装置、特にスプリンクラー消火装置または水噴射消火装置。
【請求項１９】
前記消火装置バルブ（１）は、データインタフェース（１０）を有し、前記消火装置（１００）は、前記消火装置バルブ（１）の前記データインタフェース（１０）の読み出しのために前記消火装置バルブ（１）と接続されているデータ処理ユニット（２０）を有すること
を特徴とする、請求項１８に記載の消火装置。
【請求項２０】
前記データ処理ユニット（２０）は、前記データインタフェース（１０）から読み出された情報を分析し、この分析に依存して、以下のイベント、即ち、前記消火装置バルブ（１）が正常に動作しているか否かに関してのメッセージの出力、流体パイプ（１１）内に十分に高い流体圧が存在するか否かに関してのメッセージの出力、流体パイプ（１１）内に十分に高い流体圧が存在しないことに関してのメッセージの出力、および／または前記消火装置バルブ（１）が開放されたことに関してのメッセージの出力のうち、一つ、複数またはすべてをトリガするように構成されていること
を特徴とする、請求項１９に記載の消火装置。
【請求項２１】
消火装置バルブ、とりわけ請求項１から１７のいずれか一項に記載の消火装置バルブの状態監視のための方法であって、
以下の方法ステップ、即ち、
（ａ）流体入口室（８）および／または流体出口室（９）内の圧力値を検出するステップ、
（ｂ）圧力限界値を予設定するステップ、
（ｃ）好ましくは検出された圧力値が予設定された前記圧力限界値を超過または下回る場合、状態情報、および／またはメッセージ、とりわけメッセージデータファイルの形のメッセージを一つ以上のあらかじめ規定された受信部に伝送するステップ、および／または、好ましくは検出された圧力値が予設定された前記圧力限界値を超過または下回る場合、データインタフェース（１０）を介して閉鎖体（４ａ）の阻止状態または解放状態を変更するステップ
を含むこと
を特徴とする方法。
【請求項２２】
前記予設定は、圧力スイッチの選択または調整により行われること
を特徴とする、請求項２１に記載の方法。
【請求項２３】
前記方法ステップ（ｃ）の前に、前記圧力値をデータメモリ（１６）内にある少なくとも一つのあらかじめ規定された圧力限界値と比較することが行われること
を特徴とする、請求項２１に記載の方法。
【発明の詳細な説明】
【技術分野】
【０００１】
本発明は、ケーシングを備えた消火装置バルブに関するものであり、前記ケーシングは、流体入口室、流体出口室、および阻止状態と解放状態との間で往復運動可能な閉鎖体（可動弁体）を有する。ここで流体入口室と流体出口室は、阻止状態では互いに分離されており、解放状態では流体的（流体を通すよう）に互いに連通している。
【背景技術】
【０００２】
消火装置バルブとは、本発明では受動型および能動型の警報バルブの種類と理解される。これらの警報バルブは、消火装置、とりわけ水ベースの消火剤（例えば水、添加物を含んだ水）による消火装置で使用するために想定されている。これらのバルブ形式の最も有名な代表は、湿式および乾式の警報バルブ、並びに水噴射バルブである。ここで受動型警報バルブとは、入口側と出口側との間で所定の圧力差を超過すると自動的に開放するバルブであると理解され、この際、例えば、外部の警報パイプに配置され、その際には電気的に駆動される警笛のような警報手段を制御する圧力スイッチによって間接的に、および／または警報バルブと流体技術的に接続された液圧的に駆動される警報手段、例えば水により駆動される警鐘への消火剤の流れの制御により直接的に、その開放状態を検知することに応答して、バルブ自体により警報がトリガされる。部分的には、液圧的に駆動される警鐘の代わりにまたはそれに加えて、光学的表示器が警報バルブの領域に配置されており、これにより複数の警報バルブが並列に配置されている場合には、どの警報バルブが開放したかをより良く区別することができる。
【０００３】
能動型警報バルブとは、外部火災識別手段からの火災信号の入力後に、または外部の制御介入の機能として、バルブの開放により当該バルブが能動的に流体流を解放し、受動型警報バルブの場合と同じように警報がトリガされるバルブであると理解される。前記バルブ形式で共通することは、これらのバルブはしばしば長期にわたって、使用する必要なしに消火装置に組み込まれており、危急の場合にバルブが確実に機能することが重要なことである。したがってバルブの機能性の定期検査が不可欠である。
【０００４】
従来技術では、警報バルブの領域に外部の導管部を取り付け、これらの導管部に、圧力測定のための装置、例えば圧力計および／または圧力スイッチを取り付けることが知られている。それらの装置を介して例えば流体入口室内の圧力を検出することができる。また警報バルブが規定の方式で機能するか否かを定期的に検査するために、火災がない場合にも警報バルブを短期的に開く装置を取り付けることが知られている。
【先行技術文献】
【特許文献】
【０００５】
記載なし
【発明の概要】
【発明が解決しようとする課題】
【０００６】
ほぼ２５ｂａｒまでの典型的なスプリンクラー消火装置及び水噴射消火装置の低圧領域において従来技術では、外部の導管部は、しばしば、部分的には工事現場においても、ねじ付きフィッティングを使用して作られる。外部に配置されるコンポーネントを用意し、組み立て、視覚的に満足いくように配向するため、並びにそれらを流体密および気密に接続するための手間と費用は多大である。また外部に配置されるコンポーネントは、設置空間において相応のスペースを必要とする。そして最後に、外部に配置される導管部には、これらの導管部が既にメーカ工場側で組み立てられるのであれば、取り付け場所への搬送時に損傷されるという危険がある。
【０００７】
従来技術によると、電気的に駆動される警報手段又は表示部を有する警報バルブでは、警報バルブの近傍に配置された電気的な圧力スイッチと、通常は遠隔に配置された火災通報センタまたは監視センタとの間、そして再び火災通報センサまたは監視センサから、警報バルブの近傍に配置された電気的な警報手段へまたは表示部へ、電気的な接続部を設けなくてはならない。空間的に互いに離れて配置されたエレメントの間のそのような電気的な接続部は、とりわけ距離が離れている場合には容易に中断される可能性があり、従って消火装置には安全性のリスクが存在する。
【０００８】
したがって本発明の基礎となる課題は、消火装置の警報バルブの製造／組み立ての際の装置的および時間的な手間と費用を軽減し、とりわけ動作安全性を向上することである。
【課題を解決するための手段】
【０００９】
本発明はその基礎となる課題を、圧力センサがケーシングに組み込まれている冒頭に記載した形式の消火装置バルブを本発明が提示することにより解決する。組み込まれているとは、本発明では、圧力センサがバルブのケーシングに、前記の圧力測定を実施できるようにするためにフランジやパイプ接続部等を付加的な流体案内取付部品としてバルブにおいて外側にまたはバルブとはまったく別個に設ける必要がないように、取り付けられている、言い替えればマウントされているまたは格納されていることと理解される。
【発明を実施するための形態】
【００１０】
以下、発明を実施するための形態について説明する。
【００１１】
ここで本発明は、圧力センサの機能をバルブケーシングに組み込むことにより、消火装置に取り付けるべき部材の数が格段に低減されるという中心的な思想に従う。さらに消火装置バルブのアッセンブリ（Konfektionierung）は好ましくはすでに製造時に、すなわち使用箇所への運送および本来の取り付けの前に完備され、これにより消火装置を使用開始する際にすでに時間的な手間を最小化することができる。さらに好ましくは本発明の警報バルブを既述の実施形態の一つで使用することにより、ａ）警報バルブの近傍に配置された電気的に駆動される警報手段または表示部と、遠隔に配置された火災通報センタまたは監視センタとの間、およびｂ）警報バルブの近傍に配置された圧力センサと、遠隔に配置された火災通報センサまたは監視センタとの間での電気接続線路を省略することができる。
【００１２】
組み込まれた圧力センサは好ましくは、流体入口室内の圧力を検出するように構成されている。一実施形態で圧力センサは、ある程度デジタル的に限界値の到達ないし超過／下回りを記録する圧力スイッチの形であるのが好ましい。圧力スイッチの選択または圧力スイッチの所定の調整により圧力限界値が予設定される。圧力スイッチは、圧力データとして切替圧が印加されたか否か（１／０）の情報を送出する。特に好ましくは圧力測定記録器は、実際に印加される圧力を検出し、相応の変換手段により離散的信号値として出力することができる。好ましい実施形態で圧力センサは一般的に公知のように、そのために必要な変換器、増幅器、マイクロコントローラ等を有することができる。
【００１３】
さらに好ましくは圧力センサは、流体出口室および／または流体入口室内の圧力を検出するように構成されている。圧力を流体入口室においても流体出口室においても検出すべき場合、第１の圧力センサと第２の圧力センサを設け、両者ともがケーシングに組み込まれており、両者のうちそれぞれ一つの圧力センサが流体入口室または流体出口室内で作用するように配置されると有利である。
【００１４】
圧力センサないし圧力センサの測定ヘッドの配置は、ここでは選択的に直接的に、流体入口室内、流体出口室内、またはバルブに組み込まれた警報チャネル内で行うことができる。警報チャネルは好ましくは、閉鎖体の阻止位置では、バルブの流体室から流体密に分離されている。警報チャネル内は好ましくは周囲圧である。閉鎖体が阻止位置から解放位置に移動して初めて警報チャネルは、隣接する同様に接続された流体室と連通する。
【００１５】
追加的に本発明の別の一視点を表す、本発明の好ましい一実施形態では、表示ユニットがケーシングに組み込まれている。表示ユニットは好ましくは、数値およびテキスト文字を、例えばＬＣＤディスプレイまたはＬＥＤディスプレイの形で再生（表示）するように構成されている。しかしその代わりにまたはそれに加えて、表示部は例えば経済的な構造として単に幾つかのＬＥＤまたは他の発光手段を有することもできる。これらは、点灯または非点灯によりデジタル的に所定の状態を表すように構成されている。そのような発光手段は、圧力センサが圧力スイッチとして構成されている場合に特に好ましい。
【００１６】
有利には、さらなる好ましい一実施形態で圧力センサは、検出された圧力データを出力するために、および／または検出された圧力データに依存して求められた情報を出力するために、表示ユニット、好ましくはケーシングに組み込まれた表示ユニットと接続されている。本発明の警報バルブをこの実施形態で使用することにより、警報バルブの近傍で特定の動作状態に関する表示をユーザに提供することができ、これらの表示は純粋な圧力情報以外にも例えば推奨事項／指示事項を明快なテキストで示す。
【００１７】
さらなる好ましい一実施形態で圧力センサは、検出された圧力データを保存するためにデータメモリと接続されている。これにより、それぞれ現在の圧力値が単に検出されるだけでなく、圧力値経過の履歴を検出し、後での評価のために提供することができる。
【００１８】
本発明のとりわけ好ましい一形態で表示ユニットは、データメモリおよび／または一つないし複数の外部の圧力センサと接続されており、そこに保存されたないしそこから伝送された圧力データを出力するように構成されている。例えば表示ユニットは、最後の時間、日、週、または月の値、それに加えて、検知された最大値及び最小値、並びに場合により上昇率または低下率を出力するように構成されている。
【００１９】
さらなる好ましい一実施形態では、組み込まれた圧力センサ、および／またはデータメモリ、および／または一つないし複数の外部の圧力センサは、検出された圧力データを読み出し、遠隔伝送するためにデータインタフェースと接続されている。データインタフェースは好ましくは、データ通信のための一つまたは複数のコネクタを含む。
【００２０】
好ましくはデータインタフェースは、バルブに組み込まれたエレメントに対して動作電圧を供給するように構成されている。ここで遠隔伝送とは、ケーブル接続のデータ伝送とも無線のデータ伝送とも理解される。データインタフェースによって、圧力センサの検出された圧力データ、および／またはデータメモリからの圧力データ、および／または外部に配置されてデータインタフェースと通信する圧力センサの圧力データを、外部のデータ処理ユニット、好ましくは消火装置の外部のデータ処理ユニット、例えば火災通報センタおよび／または消火制御センタに伝送することができる。これにより、そこに到来する圧力データの信号技術的な処理と評価によって消火装置バルブの機能性を、現場に出向く必要なしに検査することができる。所定の圧力データ経過により、例えば突然の圧力降下により、バルブの機能が制限されていることに対する指標が存在する場合だけ、状況に応じて現場に出向くことができる。さらにデータインタフェースによる圧力データの伝送は、付加的な外部の表示手段、好ましくは音響的および／または光学的な警報手段および／またはさらなる（英数字）ディスプレイの、データ処理ユニットによりトリガされる制御を可能とする。
【００２１】
外部のデータ評価の代わりにまたはそれに加えて、消火装置バルブは、好ましい一実施形態では自ら電子的評価装置を有し、該電子的評価ユニットは、データの受信のために、および／またはバルブの状態情報の伝送のために、以下のエレメントの一つ、複数またはすべてと接続されている：少なくとも一つの組み込まれた圧力センサ、表示ユニット、データインタフェース、データメモリ、一つまたは複数の外部の圧力センサ。データの受信は、圧力センサおよびデータメモリからが特に考慮される。データの伝送は、とりわけ表示ユニットおよび／またはデータインタフェースの方向で行われる。本発明で状態情報とはとりわけ、閉鎖体の阻止状態および解放状態、並びにさらに好ましくはバルブの設置場所、バルブ形式、並びに圧力センサおよび／またはデータメモリにより受信された圧力データ、並びに場合により電子的評価ユニットが受信されたデータに基づいて行ったデータ処理結果でもある。バルブをデータインタフェースによって一般的にネットワーク化するために、およびとりわけ設置場所を通知するために、好ましくはいわゆるアドレシングモジュール（Adressierungsmodul）が電子的評価ユニットに設けられている。データインタフェースが例えばリングバスとして構成されている場合、電子的評価ユニットはアドレシングモジュールにより、圧力データに関する情報に加えて、ないしその情報と共に、設置場所を出力することができる。
【００２２】
アドレシングモジュールは、好ましくは差込可能および／または交換可能に構成されており、信号線路を介して中央制御ユニット、例えば火災通報センタおよび／または消火制御センタのリングバス加入者モジュールと接続されている。これによりアドレシングモジュールは、好ましくはリングバス線路として構成された信号線路上でアドレシング可能な加入者である。好ましくはアドレシングモジュールのアドレスは調整可能である。アドレシングモジュールは、データをリングバスを介して送信する。好ましい一形態では、検出された圧力値または検出された圧力の変化、または圧力変化ないし障害の発生がデータ伝送プロトコルによってリングバス加入者モジュールに伝送される。
【００２３】
信号線路は、有利な一形態では閉じたリングバス線路として構成されている。このことの利点は、この信号線路が遮断された場合、例えばワイヤ断線の場合、エネルギー供給およびアドレシング可能な加入者との通信が、元のリングの両側からリングバス加入者モジュールを介して保証されることである。さらなる有利な一形態では、この信号線路はアドレシング可能な加入者に対するスタブ線路（Stichleitung）として敷設されている。
【００２４】
電子的評価ユニットは好ましくは、圧力センサおよび／またはデータメモリおよび／または一つないし複数の外部の圧力センサから得られた圧力データをあらかじめ規定された限界値と比較し、これらの限界値に到達ないし超過または下回る際に、状態定義として代表する信号を伝送するように構成されている。
【００２５】
消火装置バルブのさらなる好ましい一実施形態では、閉鎖体（可動弁体）は制御駆動部を有し、電子的評価ユニットは、閉鎖体を制御駆動部によって解放位置または阻止位置にもたらすように構成されている。ここで制御駆動部は、基本的に公知の電気的ないし電磁的、液圧的または気圧的な制御駆動部とすることができ、それぞれ相応の制御部を備える。
【００２６】
とりわけ好ましくは、圧力センサに加えて、以下のエレメントの一つ、複数またはすべてがケーシングに組み込まれている：表示ユニット、データインタフェース、データメモリ、電子的評価ユニット。
【００２７】
本発明のさらなる好ましい一構成でケーシングは、ケーシングカバー、好ましくはハンドホールカバー（Handlochdeckel）を有し、とりわけ以下のエレメントの一つ、複数またはすべてがケーシングカバーに組み込まれている：圧力センサ、表示ユニット、データインタフェース、データメモリ、電子的評価ユニット。これにより機能多様性を妥協する必要なしに、消火装置バルブの一つのシリーズの構成部材多様性を低減することができる。提供されたすべての機能性に対して相応の切欠部（凹部）を有する汎用のケーシング体と、様々にアセンブリングされたケーシングカバーを作製することができる。機能性（要素）がそこに組み込まれたそれぞれのケーシングカバーを汎用のケーシング体に割り当てることにより、消火装置バルブのそれぞれ異なる機能性（要素）がまとめられる。この本発明によるモジュールシステムによりさらに、既存の消火装置においてケーシングカバーを交換することにより後から付加的な機能を追加し、または実際には必要ない機能を撤廃することができる。このことすべては、それぞれ多大な手間と費用および密閉性不良の可能性を伴うであろう、既存の消火装置における取付部品の除去、または後からの組み付けを必要とすることなく達成される。例えばハンドホールカバーとしての実施形態でケーシングカバーは、好ましくは公知であり実績のある密閉機構（シーリング機構）を有し、これにより信頼性のある使用が可能である。
【００２８】
ケーシングカバーは、とりわけハンドホールカバーとしての実施形態では、一時的な分離により、好ましくは流体入口室および／または流体出口室へのアクセス、並びに特に有利には閉鎖体（可動弁体）へのアクセスを可能にする。圧力センサをケーシングカバーに組み込む場合、好ましくは圧力センサに対して、または複数の圧力センサがある場合には各圧力センサに対して、対応の流体パイプチャネルが切欠部の形で設けられ、これらの切欠部の中に圧力センサをそれぞれ敷設することができる。例えばＡ／Ｄ変換器、並びに任意選択で増幅器、マイクロコントローラ等が組み込まれたセンサを使用することができる。または同様にケーシングカバーに組み込まれたＡ／Ｄ変換器に接続されたセンサを使用することができる。比較的簡単なセンサ形式は例えば圧力スイッチであり、同じようにケーシングカバーに格納することができる。同じことが、その他の前記組込エレメントに対しても当てはまる。
【００２９】
本発明の消火装置バルブは、上述のように、特に好ましくは湿式警報バルブまたは乾式警報バルブまたは水噴射バルブである。これは、これらの警報バルブ形式ないしそれらの組み合わせの「特別構造形態」も含み、これらはパイロット制御される乾式装置として公知である。それぞれこのように構成されたバルブは、専門的には通常のさらなる技術手段を有するが、これらの技術手段はここでは簡明的確な説明のため省略するものとする。前記バルブ形式は、動作時に圧力レベルが種々のバルブ室においてどのように変化するかという形式においてまず第一に異なる。湿式警報バルブの動作時には、例えば消火流体で満たされた流体出口室内では、スプリンクラーノズルが閉鎖されている場合、所定の流体圧ｐ２が発生する。一方、流体入口室内は圧力ｐ１である。これらの圧力ｐ１とｐ２は近似的に同じまたは同じであって良く、好ましくは１ｂａｒから２５ｂａｒの範囲にある。スプリンクラーノズルが開放すると直ちに、流体出口室内の圧力ｐ２が降下する。圧力ｐ２と流体入口室内の圧力ｐ１との間で所定の圧力降下に達すると、または超過すると、バルブの閉鎖体が時間的遅延をもって開放し、これにより流体入口室内の圧力ｐ１が変化する。それまで静的であった圧力はバルブの開放直後にまず低下し、流動圧（Fliessdruck）として規定された新たな圧力ｐ３が徐々に生じる。閉鎖体の阻止位置では周囲圧である警報チャネルをバルブが有する場合、この警報チャネルでは解放位置へのバルブの開放により圧力上昇が記録されることになる。
【００３０】
乾式警報バルブの場合、流体出口室（閉鎖体の下流側）には過圧下のガスが充填されており、好ましくはｐ２は０．８ｂａｒから４ｂａｒである。流体入口室には好ましくは水が満たされており、ｐ１は１ｂａｒから約２５ｂａｒの範囲である。圧力の記述はそれぞれ周囲圧に対して相対的なものである。閉鎖体の阻止位置では周囲圧である警報チャネルをバルブが有する場合、この警報チャネルでは解放位置へのバルブの開放により圧力上昇が記録されることになる。
【００３１】
好ましくは消火装置バルブは、バルブに組み込まれた３つまでの圧力センサを有し、当該圧力センサはそれぞれ、流体入口室、流体出口室および／または警報チャネル内の圧力を監視する。
【００３２】
湿式警報バルブは、例えばＥＮ１２２５９−２（ＤＩＮ）に記載されており、乾式警報バルブはＥＮ１２２５９−３に、水噴射バルブはｐｒＥＮ１２２５９−９に記載されている。さらにこれらのバルブ形式は、ＶｄＳ損害防止協会（VdS Schadenverhuetung）、ケルン、またはＦＭグローバル、ウエストグロスター、またはＵＬ、ノースブルックのような私的機関の検査許可仕様書に記載されている。
【００３３】
第２の視点により本発明は、流体パイプを阻止（遮断）および解放するための消火装置バルブが配置されている一つまたは複数の流体パイプを備えた、消火装置、特にスプリンクラー装置に関する。
【００３４】
本発明は、そのような消火装置において、冒頭に述べた課題を、消火装置バルブがここで説明した上記の好ましい実施形態の一つにしたがって構成されていることにより解決する。
【００３５】
従ってそのように構成されている消火装置は、上述したように消火装置バルブとの関連でも説明したものと同じ利点および好ましい実施形態を有する。ここで上記の各々の形態が参照される。消火装置のさらなる好ましい一構成では、データインタフェースを有する消火装置バルブが使用され、ここで消火装置は、データインタフェースの読み出しのために消火装置バルブと接続されているデータ処理ユニットを有する。
【００３６】
好ましくはデータ処理ユニットは、データインタフェースから読み出された情報を分析し、この分析に依存して以下のイベントの一つ、複数またはすべてをトリガするように構成されている：
・消火装置バルブが正常に動作しているか否かに関してのメッセージの出力、
・流体パイプ内に十分に高い流体圧が存在するか否かに関してのメッセージの出力、および／または
・消火装置バルブが開放されたことに関してのメッセージの出力。
【００３７】
これに関してメッセージとは、以下の非排他的列挙により、好ましくはあらかじめ規定された信号列を備え、並びにさらに好ましくは遠隔伝送のための光学的および／または音響的な信号であると理解され、前記列挙とは、ＳＭＳ、電話音声メッセージまたはＶＯＩＰ音声メッセージ、ＦＡＸメッセージ、Ｅメール、ＩＲＣメッセージ、電子的プッシュプル通報の形のメッセージ、インターネットプロトコルベースのメッセージ、イーサネットプロトコルベースのメッセージ等である。これらのメッセージの内容は好ましくはメッセージデータファイルに記憶される。
【００３８】
本発明のさらなる一形態では、上記のメッセージまたはメッセージデータファイルおよび／または状態情報が、消火装置バルブ自体から送信される。状態情報は好ましくは、消火装置バルブの閉鎖体の阻止状態または解放状態の変化に関する情報／信号、圧力値、または圧力限界値の超過または下回りに関する通報である。そのためにデータメモリは所定のメッセージデータファイルおよび／または少なくとも一つのあらかじめ規定された圧力限界値を有する。圧力センサの検出された圧力値、および好ましくは電子的評価ユニットによる少なくとも一つのあらかじめ規定された圧力限界値との比較に依存して、少なくとも一つのあらかじめ規定された限界値を超過または下回る場合、電子的評価ユニットから、この少なくとも一つのあらかじめ規定された限界値に関連するメッセージデータファイルが、好ましくはデータインタフェースを介して送信される。コンフィギュレーション手段（Konfigurationsmittel）によって、データメモリの読み出し、および／または電子的評価ユニットに実装されたソフトウエアの更新、および／または少なくとも一つの圧力限界値および／または一つあるいは複数のメッセージデータファイルの変更または入力が、消火装置バルブまたはそのケーシングが有するコンフィギュレーションインタフェースを介して実現される。とりわけ好ましい一形態でこのコンフィギュレーションインタフェースは、ケーシングカバーに組み込まれている。
【００３９】
コンフィギュレーション手段は好ましくは、以下の機器の非排他的リストから選択される：ノートブック、ｉパッド、スマートフォン、プログラミング機器、サービス機器。
【００４０】
データメモリの読み出し、および／または電子的評価ユニットに実装されたソフトウエアの更新、および／または少なくとも一つの圧力限界値および／または一つあるいは複数のメッセージデータファイルの変更または入力は、選択的な一形態ではデータインタフェースを介して、好ましくは火災通報センタおよび／または消火制御センタによって行われる。
【００４１】
さらなるステップとして本発明は、消火装置バルブの状態監視のための方法に関する。
【００４２】
本発明は、基礎となる前記課題を、とりわけ本発明の消火装置バルブを使用して、以下のステップを用いて解決する：
流体入口室および／または流体出口室内の圧力値を検出するステップ、
圧力限界値を予設定するステップ、
とりわけ検出された圧力値が予設定された圧力限界値を超過または下回る場合、状態情報、および／またはメッセージ、とりわけメッセージデータファイルの形のメッセージを一つまたは複数のあらかじめ規定された受信部に伝送するステップ、および／または、
とりわけ検出された圧力値が予設定された圧力限界値を超過または下回る場合、消火装置バルブの阻止状態または解放状態を変更するステップ。
【００４３】
ここで本発明による方法は、本発明による消火装置バルブと同様の認識および利点を利用し、それ故、これに関して上述の各々の形態が参照される。さらに本方法は、同様の有利なさらなる構成を有する。消火装置バルブの上述の適性および機能は、好ましくは方法ステップとして本方法により実現される。
【００４４】
好ましいさらなる一構成で前記予設定は、圧力スイッチの選択または調整により行われる。
【００４５】
状態情報の伝送の方法ステップの前に好ましくは、検出された圧力値を例えばデータメモリ内にある少なくとも一つのあらかじめ規定された圧力限界値と比較することが行われる。
【００４６】
あらかじめ規定された受信部として好ましくは、消火装置バルブのケーシングに接してまたはケーシング内にあるいはケーシングカバーに接してまたはケーシングカバー内に配置されている表示ユニットが使用される。
【００４７】
あらかじめ規定された受信部は、その代わりにまたはそれに加えて、好ましくは火災通報センタおよび／または消火制御センタである。
【００４８】
少なくとも一つのあらかじめ規定された圧力限界値、および／またはメッセージは、好ましくはデータインタフェースまたは、消火装置バルブあるいはそのケーシングが有しかつとりわけケーシングカバーに組み込まれている専用コンフィギュレーションインタフェースを介して伝送される。圧力限界値の予設定および／または変更は好ましくは、コンフィギュレーション手段を用いて入力されて、設けられているデータメモリに保存される。コンフィギュレーション手段として好ましくは、とりわけ接続された定置のまたは携帯可能なパーソナルコンピュータ、ハンドヘルド、スマートフォンなどの、データインタフェースまたはコンフィギュレーションインタフェースと通信する操作フィールド、例えばキーボードが考慮される。
【００４９】
上記段落で「および／または」との表現が使われている場合、ここでは、列挙して挙げられた複数のエレメントの一つ、複数、または全てを意味しているものとして理解される。
【００５０】
「有している」との表現は、それだけに限られることのない列挙として理解される。
【００５１】
本発明を以下、添付図面を参照し、好ましい実施例に基づいて詳細に説明する。
【図面の簡単な説明】
【００５２】
【図１】好ましい一実施例による一消火装置バルブの概略的な横断面図である。
【図２ａ】図１の消火装置バルブに対する一ケーシングカバーの概略図である。
【図２ｂ】図１の消火装置バルブに対する一ケーシングカバーの概略図である。
【図３】好ましい一実施例による一消火装置を概略的に示す図である。
【実施例】
【００５３】
図１には、本発明による一消火装置バルブ１が図示されている。湿式警報バルブとして有利な一形態が図示されている。消火装置バルブ１はケーシング２を有する。ケーシングカバー３は、ケーシング２の構成部分であり、ケーシング２と流体密にねじ固定されている。
【００５４】
ケーシング２の内部では閉鎖体４ａがバルブシート４ｂ上に配置されており、パッキン７が流体入口室８と流体出口室９を警報チャネル５に対して流体密に分離する。閉鎖体４ａは（図１に示された）阻止位置と解放位置との間で往復運動可能である。往復は、並進的運動形態だけでなく、回転的運動形態および他の運動形態も含む。（図示されていない）解放位置において流体入口室８と流体出口室９は、ケーシング２の内部で流体的に（流体を通すように）互いに接続されている。
【００５５】
ケーシング２にはバルブシート４ｂと接続された警報チャネル５が組み込まれており、この警報チャネル内には圧力センサ６が作用するように配置されている。圧力センサ６は、ケーシング２のケーシングカバー３に組み込まれている。信号的接続部を介してデータインタフェース１０は外部に案内されており、外部からケーシングカバー３において読み取ることができる。
【００５６】
消火装置バルブ１は、例えば流体パイプ１１内に配置可能であり、この流体パイプは、消火流体を一つまたは複数のスプリンクラーノズル１２に導くように構成されている。
【００５７】
好ましくはハンドホールカバーとして構成されているケーシング２のケーシングカバー３が模式的に図２ａと図２ｂに図示されている。図示の実施例でケーシングカバー３は、透明カバーの設けられた切欠部１３を有し、該切欠部は、ケーシングカバー３の組み立て状態でケーシング２に向かう側で切り込まれている（切欠凹所を形成する）。切欠部１３には第１と第２の圧力センサ６が配置されており、これらはそれぞれ流体パイプ１４ａ、ｂを介して冗長的システムとして流体ポート１５と接続されている。流体ポート１５は、ケーシングカバー３がケーシング２上に組み立てられるとこれが警報チャネル５と流体的に接続されるように配置されている。ここに示した態様の代わりに、複数の圧力センサを種々の流体ポートと接続することもできる。ここで各流体ポートは、ケーシングの種々の箇所に存在する種々の圧力を同時に測定できるようにするためにケーシングの別の流体室と流体的に接続される。
【００５８】
圧力センサ６は、評価ユニット５０とそれぞれ信号的に接続されている。圧力センサ６と評価ユニット５０は、評価ユニット５０が圧力センサ６から出力された圧力データを検出し、処理することができるように互いに通信的に接続されている。評価ユニット５０は、データメモリ１６とデータ的に（データを伝送するように）接続されており、データ処理結果をデータメモリ１６に保存し、および／またはデータメモリに保存されたデータ、とりわけ圧力センサ６の圧力データを読み出し、処理するように構成されている。
【００５９】
データメモリ１６は、圧力センサ６から得られた圧力データを記憶するために任意選択で、その代わりにまたはそれに加えて圧力センサ６とデータ的に直接接続されている。
【００６０】
評価ユニット５０は、任意選択で、その代わりにまたはそれ加えて表示ユニット４０とデータ的に接続されており、表示ユニット４０から呼び出し可能な情報、とりわけ消火装置バルブ１の状態情報を当該表示ユニット４０に供給するように構成されている。
【００６１】
圧力センサ、評価ユニット５０、データメモリ１６、および表示ユニット４０並びにデータインタフェース１０の間の種々の可能なデータ接続が実線によって例示されている。
【００６２】
データメモリ１６、表示ユニット４０、電子的評価ユニット５０、圧力センサ６およびデータインタフェース１０は、機能的に独立のユニットであり、これらは、例として示した実施形態の代わりに、ケーシング２内またはケーシングカバー３内にある複数の別個の切欠部あるいは受け部に組み込むこともできる。顧客により希望される消火装置バルブの機能内容に応じて、好ましい実施形態では、図示のエレメントのすべてではなく、幾つかのエレメントだけが、またはこれらエレメントのサブコンビネーションだけがケーシングまたはケーシングカバーに組み込まれている。
【００６３】
図２ａと図２ｂからさらに見てとれるように、データインタフェース１０は、任意選択で、データ遠隔伝送手段ごとに消火装置内のデータ処理ユニット２０と接続されている。データ処理ユニット２０は、例えば火災通報センタの一部である。データ処理ユニットは、データインタフェース１０から読み込まれた情報を処理し、および／または例えば外部の表示手段３０にさらに伝送し、および／またはどのような状態情報をデータインタフェース１０が提供するかに依存して（警報の）通報の形で出力するように構成されている。
【００６４】
ここに示したようにケーシングカバーに組み込む代わりに、図２ａと図２ｂに示された組み込みエレメントの一つ、複数またはすべてを消火装置バルブ１のケーシング２の別の領域に組み込むことができ、または例えば中間フランジに組み込むこともでき、この中間フランジはメインケーシング２とケーシングカバー３との間に装着される。基本的機能は、好ましくはここに示した実施例と同じである。
【００６５】
図３には、図２ａと図２ｂの補足として消火装置１００が概略的に示されている。図３に例示された消火装置は、これが消火装置バルブ１ａ、ｂ、ｃにそれぞれ設けられたデータインタフェース１０ａ、ｂ、ｃとデータ的に通信し、これらから提供された状態情報を呼び出すことにより、複数の消火装置バルブ１ａ、ｂ、ｃを監視する。呼び出された状態情報はデータ処理ユニット２０で処理され、例えば外部の表示手段３０にさらに伝送されるか、または消火装置バルブ１ａ、ｂ、ｃにフィードバックされ、そこで内部の表示ユニット４０で再生（表示）される。任意選択でデータ処理ユニット２０は、消火装置バルブ１ａ、ｂ、ｃを対応の制御命令により制御し、例えばバルブの閉鎖体を阻止（遮断）または解放するように構成されている。
【００６６】
図１から図３に示された消火装置、とりわけ図１、図２ａ、図２ｂに示された消火装置バルブは、動作時に好ましくは、流体入口室および／または流体出口室および／または警報チャネルにおいて圧力の少なくとも一つが恒久的に監視されるように動作する。電子的評価ユニット５０またはデータ処理ユニット２０により、このようにして得られた圧力データは処理され、とりわけ所定の限界値と比較される。目標圧力経過からの偏差、または所定の限界値の超過ないし下回りは、例えば消火装置バルブのデータメモリ１６またはデータ処理ユニット２０での（図示しない）データメモリに記録される。例えば閉鎖体が阻止位置に存在すると通報されるにもかかわらず、圧力が流体入口室で降下する場合、データ処理ユニットは好ましくは、相応のエラー信号（Fehlersignal）を出力するように構成されている。例えば作動準備状態では大気圧下にある警報チャネルの圧力が警報バルブの開放により上昇する場合、データ処理ユニットは好ましくは、相応の警報信号を出力するように構成されている。
【００６７】
スプリンクラーノズルの作動開始後のように、例えば流体出口室内の圧力が所定の限界値を下回り、該限界値の下側では閉鎖体が解放しているべきであるが、閉鎖体が解放位置にあるとのバルブの通報があるにもかかわらず、流体入口領域において圧力変化が生じない場合には、データ処理ユニットは好ましくは、そのために、予測される障害に対して対応する信号を出力するようにも構成されている。
【００６８】
同じようにして消火装置バルブの内部における連続的圧力監視により、漏れの発生またはその他の機能障害を遠隔から検知することができる。その場合、手作業による保守介入を、目的どおりに開始することができる。これは、消火装置バルブの状態情報においてその設置場所および構造形式が共に通知され、明快なテキスト表示が存在する場合には、尚更該当する。このことは保守要員への指示を多大に簡素化する。
【符号の説明】
【００６９】
１、１ａ、ｂ、ｃ      消火装置バルブ
２                    ケーシング
３                    ケーシングカバー
４ａ                  閉鎖体（可動弁体）
４ｂ                  バルブシート
５                    警報チャネル
６                    圧力センサ
７                    パッキン
８                    流体入口室
９                    流体出口室
１０、１０ａ、ｂ、ｃ  データインタフェース
１１                  流体パイプ
１２                  スプリンクラーノズル
１３                  切欠部
１４ａ、ｂ            流体パイプ
１５                  流体ポート
１６                  データメモリ
２０                  データ処理ユニット
３０                  表示手段
４０                  表示ユニット
５０                  評価ユニット
１００                消火装置
【図１】
2018504953.tif 000003
【図２ａ−２ｂ】
2018504953.tif 000004
【図３】
2018504953.tif 000005
【手続補正書】
【提出日】平成29年8月15日(2017.8.15)
【手続補正１】
【補正対象書類名】特許請求の範囲
【補正対象項目名】全文
【補正方法】変更
【補正の内容】
【特許請求の範囲】
【請求項１】
ケーシング（２、３）を備えた消火装置バルブ（１）であって、
前記ケーシング（２、３）は、流体入口室（８）、流体出口室（９）、および阻止状態と解放状態との間で往復運動可能な閉鎖体（４ａ）を有し、前記流体入口室（８）と前記流体出口室（９）は、阻止状態では互いに分離されており、解放状態では流体的に互いに連通しており、少なくとも一つの圧力センサ（６）が、前記ケーシング（２、３）に組み込まれているという消火装置バルブであり、
警報チャネル（５）が、前記消火装置バルブ（１）に組み込まれており、阻止状態では前記流体入口室（８）および前記流体出口室（９）から流体密に分離されており、解放状態では前記流体入口室（８）および前記流体出口室（９）と連通しており、
前記圧力センサ（６）は、前記警報チャネル（５）内の圧力を検出するように構成されていること
を特徴とする消火装置バルブ。
【請求項２】
前記圧力センサ（６）は、前記流体入口室（８）内の圧力を検出するように構成されていること
を特徴とする、請求項１に記載の消火装置バルブ。
【請求項３】
前記圧力センサ（６）は、前記流体出口室（９）内の圧力を検出するように構成されていること
を特徴とする、請求項１または２に記載の消火装置バルブ。
【請求項４】
複数の圧力センサ（６）を備え、それぞれ少なくとも一つの圧力センサ（６）が設けられて、前記流体入口室（８）内の圧力、および／または前記流体出口室（９）内の圧力、および／または警報チャネル（５）内の圧力を検出するように構成されていること
を特徴とする、請求項１から３のいずれか一項に記載の消火装置バルブ。
【請求項５】
表示ユニット（４０）が、前記ケーシング（２、３）に組み込まれていること
を特徴とする、請求項１から４のいずれか一項に記載の消火装置バルブ。
【請求項６】
前記圧力センサ（６）は、検出された圧力データを出力するために、および／または検出された圧力データに依存して求められた情報を出力するために、表示ユニット、または前記ケーシングに組み込まれた表示ユニット（４０）、と接続されていること
を特徴とする、請求項１から５のいずれか一項に記載の消火装置バルブ。
【請求項７】
前記圧力センサ（６）は、検出された圧力データを保存するためにデータメモリ（１６）と接続されていること
を特徴とする、請求項１から６のいずれか一項に記載の消火装置バルブ。
【請求項８】
表示ユニット（４０）が、前記データメモリ（１６）および／または一つ以上の外部の圧力センサと接続されており、そこに保存されたないしそこから伝送された圧力データを出力するように構成されていること
を特徴とする、請求項７に記載の消火装置バルブ。
【請求項９】
組み込まれた圧力センサ（６）、および／またはデータメモリ（１６）、および／または一つ以上の外部の圧力センサは、検出された圧力データを読み出し、遠隔伝送するためにデータインタフェース（１０）と接続されていること
を特徴とする、請求項１から８のいずれか一項に記載の消火装置バルブ。
【請求項１０】
電子的評価装置（５０）が設けられており、該電子的評価ユニット（５０）は、データの受信のために、および／または前記消火装置バルブ（１）の状態情報の伝送のために、以下のエレメント、即ち、少なくとも一つの組み込まれた圧力センサ（６）、表示ユニット（４０）、データインタフェース（１０）、データメモリ（１６）、一つ以上の外部の圧力センサのうち、一つ、複数またはすべてと接続されていること
を特徴とする、請求項１から９のいずれか一項に記載の消火装置バルブ。
【請求項１１】
前記電子的評価ユニット（５０）は、前記圧力センサ（６）および／または前記データメモリ（１６）および／または一つ以上の外部の前記圧力センサから得られた圧力データをあらかじめ規定された限界値と比較し、これらの限界値を超過または下回る際に、状態情報として代表する信号を伝送するように構成されていること
を特徴とする、請求項１０に記載の消火装置バルブ。
【請求項１２】
前記閉鎖体（４ａ）は、制御駆動部を有し、前記電子的評価ユニット（５０）は、前記閉鎖体（４ａ）を前記制御駆動部によって選択的に解放位置または阻止位置にもたらすように構成されていること
を特徴とする、請求項１０または１１に記載の消火装置バルブ。
【請求項１３】
以下のエレメント、即ち、表示ユニット（４０）、データインタフェース（１０）、データメモリ（１６）、電子的評価ユニット（５０）のうち、一つ、複数またはすべてが前記ケーシング（２、３）に組み込まれていること
を特徴とする、請求項６から１２のいずれか一項に記載の消火装置バルブ。
【請求項１４】
前記ケーシング（２）は、ケーシングカバー、またはハンドホールカバーとして構成されたケーシングカバー（３）を有すること
を特徴とする、請求項１から１３のいずれか一項に記載の消火装置バルブ。
【請求項１５】
以下のエレメント、即ち、圧力センサ（６）、表示ユニット（４０）、データインタフェース（１０）、データメモリ（１６）、電子的評価ユニット（５０）のうち、一つ、複数またはすべてが前記ケーシングカバー（３）に組み込まれていること
を特徴とする、請求項１４に記載の消火装置バルブ。
【請求項１６】
前記消火装置バルブ（１）は、湿式警報バルブ、または乾式警報バルブ、または水噴射消火バルブ、パイロット制御される乾式警報バルブであること
を特徴とする、請求項１から１５のいずれか一項に記載の消火装置バルブ。
【請求項１７】
消火装置であって、
流体パイプ（１１）を阻止および解放するために、請求項１から１６のいずれか一項に記載の消火装置バルブ（１）が配置されている一つ以上の流体パイプ（１１）を備えたこと
を特徴とする消火装置。
【請求項１８】
前記消火装置バルブ（１）は、データインタフェース（１０）を有し、前記消火装置（１００）は、前記消火装置バルブ（１）の前記データインタフェース（１０）の読み出しのために前記消火装置バルブ（１）と接続されているデータ処理ユニット（２０）を有すること
を特徴とする、請求項１７に記載の消火装置。
【請求項１９】
前記データ処理ユニット（２０）は、前記データインタフェース（１０）から読み出された情報を分析し、この分析に依存して、以下のイベント、即ち、前記消火装置バルブ（１）が正常に動作しているか否かに関してのメッセージの出力、流体パイプ（１１）内に十分に高い流体圧が存在するか否かに関してのメッセージの出力、流体パイプ（１１）内に十分に高い流体圧が存在しないことに関してのメッセージの出力、および／または前記消火装置バルブ（１）が開放されたことに関してのメッセージの出力のうち、一つ、複数またはすべてをトリガするように構成されていること
を特徴とする、請求項１８に記載の消火装置。
【請求項２０】
消火装置バルブの状態監視のための方法であって、
以下の方法ステップ、即ち、
（ａ）前記消火装置バルブ（１）に組み込まれた警報チャネル（５）内の圧力値を検出するステップ、
（ｂ）圧力限界値を予設定するステップ、
（ｃ）検出された圧力値が予設定された前記圧力限界値を超過または下回る場合、状態情報、および／またはメッセージ、またはメッセージデータファイルの形のメッセージを一つ以上のあらかじめ規定された受信部に伝送するステップ
を含むこと
を特徴とする方法。
【請求項２１】
前記予設定は、圧力スイッチの選択または調整により行われること
を特徴とする、請求項２０に記載の方法。
【請求項２２】
前記方法ステップ（ｃ）の前に、前記圧力値をデータメモリ（１６）内にある少なくとも一つのあらかじめ規定された圧力限界値と比較することが行われること
を特徴とする、請求項２０に記載の方法。
【手続補正２】
【補正対象書類名】明細書
【補正対象項目名】０００５
【補正方法】変更
【補正の内容】
【０００５】
【特許文献１】CN 203 431 188 U
【特許文献２】DE 199 04 477 A1
【特許文献３】US 2008/224877 A1
【特許文献４】JP 3292567 B2
【特許文献５】DE 10 2007 049588 A1
【特許文献６】US 2014/014187 A1
【手続補正３】
【補正対象書類名】明細書
【補正対象項目名】０００９
【補正方法】変更
【補正の内容】
【０００９】
本発明はその基礎となる課題を、圧力センサがケーシングに組み込まれている冒頭に記載した形式の消火装置バルブを本発明が提示することにより解決する。組み込まれているとは、本発明では、圧力センサがバルブのケーシングに、前記の圧力測定を実施できるようにするためにフランジやパイプ接続部等を付加的な流体案内取付部品としてバルブにおいて外側にまたはバルブとはまったく別個に設ける必要がないように、取り付けられている、言い替えればマウントされているまたは格納されていることと理解される。
即ち本発明の第１の視点により、ケーシングを備えた消火装置バルブであって、前記ケーシングは、流体入口室、流体出口室、および阻止状態と解放状態との間で往復運動可能な閉鎖体を有し、前記流体入口室と前記流体出口室は、阻止状態では互いに分離されており、解放状態では流体的に互いに連通しており、少なくとも一つの圧力センサが、前記ケーシングに組み込まれているという消火装置バルブであり、警報チャネルが、前記消火装置バルブに組み込まれており、阻止状態では前記流体入口室および前記流体出口室から流体密に分離されており、解放状態では前記流体入口室および前記流体出口室と連通しており、前記圧力センサは、前記警報チャネル内の圧力を検出するように構成されていることを特徴とする消火装置バルブが提供される。
更に本発明の第２の視点により、消火装置であって、流体パイプを阻止および解放するために、前記消火装置バルブが配置されている一つ以上の流体パイプを備えたことを特徴とする消火装置が提供される。
更に本発明の第３の視点により、消火装置バルブの状態監視のための方法であって、以下の方法ステップ、即ち、
（ａ）前記消火装置バルブに組み込まれた警報チャネル内の圧力値を検出するステップ、
（ｂ）圧力限界値を予設定するステップ、
（ｃ）検出された圧力値が予設定された前記圧力限界値を超過または下回る場合、状態情報、および／またはメッセージ、またはメッセージデータファイルの形のメッセージを一つ以上のあらかじめ規定された受信部に伝送するステップ
を含むことを特徴とする方法が提供される。
尚、本願の特許請求の範囲に付記されている図面参照符号は、専ら本発明の理解の容易化のためのものであり、図示の形態への限定を意図するものではないことを付言する。
【手続補正４】
【補正対象書類名】明細書
【補正対象項目名】００１０
【補正方法】変更
【補正の内容】
【００１０】
本発明において、以下の形態が可能である。
（形態１）ケーシングを備えた消火装置バルブであって、前記ケーシングは、流体入口室、流体出口室、および阻止状態と解放状態との間で往復運動可能な閉鎖体を有し、前記流体入口室と前記流体出口室は、阻止状態では互いに分離されており、解放状態では流体的に互いに連通しているという消火装置バルブであり、少なくとも一つの圧力センサが、前記ケーシングに組み込まれていること。
（形態２）前記消火装置バルブにおいて、前記圧力センサは、前記流体入口室内の圧力を検出するように構成されていることが好ましい。
（形態３）前記消火装置バルブにおいて、前記圧力センサは、前記流体出口室内の圧力を検出するように構成されていることが好ましい。
（形態４）前記消火装置バルブにおいて、前記圧力センサは、警報チャネル内の圧力を検出するように構成されていることが好ましい。
（形態５）前記消火装置バルブにおいて、複数の圧力センサを備え、それぞれ少なくとも一つの圧力センサが設けられて、前記流体入口室内の圧力、および／または前記流体出口室内の圧力、および／または警報チャネル内の圧力を検出するように構成されていることが好ましい。
（形態６）形態１の上位概念部に記載の消火装置バルブ、または前記消火装置バルブにおいて、表示ユニットが、前記ケーシングに組み込まれていることが好ましい。
（形態７）前記消火装置バルブにおいて、前記圧力センサは、検出された圧力データを出力するために、および／または検出された圧力データに依存して求められた情報を出力するために、表示ユニット、好ましくは前記ケーシングに組み込まれた表示ユニット、と接続されていることが好ましい。
（形態８）前記消火装置バルブにおいて、前記圧力センサは、検出された圧力データを保存するためにデータメモリと接続されていることが好ましい。
（形態９）前記消火装置バルブにおいて、表示ユニットが、前記データメモリおよび／または一つ以上の外部の圧力センサと接続されており、そこに保存されたないしそこから伝送された圧力データを出力するように構成されていることが好ましい。
（形態１０）前記消火装置バルブにおいて、組み込まれた圧力センサ、および／またはデータメモリ、および／または一つ以上の外部の圧力センサは、検出された圧力データを読み出し、遠隔伝送するためにデータインタフェースと接続されていることが好ましい。
（形態１１）前記消火装置バルブにおいて、電子的評価装置が設けられており、該電子的評価ユニットは、データの受信のために、および／または前記消火装置バルブの状態情報の伝送のために、以下のエレメント、即ち、少なくとも一つの組み込まれた圧力センサ、表示ユニット、データインタフェース、データメモリ、一つ以上の外部の圧力センサのうち、一つ、複数またはすべてと接続されていることが好ましい。
（形態１２）前記消火装置バルブにおいて、前記電子的評価ユニットは、前記圧力センサおよび／または前記データメモリおよび／または一つ以上の外部の前記圧力センサから得られた圧力データをあらかじめ規定された限界値と比較し、これらの限界値を超過または下回る際に、状態情報として代表する信号を伝送するように構成されていることが好ましい。
（形態１３）前記消火装置バルブにおいて、前記閉鎖体は、制御駆動部を有し、前記電子的評価ユニットは、前記閉鎖体を前記制御駆動部によって選択的に解放位置または阻止位置にもたらすように構成されていることが好ましい。
（形態１４）前記消火装置バルブにおいて、以下のエレメント、即ち、表示ユニット、データインタフェース、データメモリ、電子的評価ユニットのうち、一つ、複数またはすべてが前記ケーシングに組み込まれていることが好ましい。
（形態１５）前記消火装置バルブにおいて、前記ケーシングは、好ましくはハンドホールカバーとして構成されているケーシングカバーを有することが好ましい。
（形態１６）前記消火装置バルブにおいて、以下のエレメント、即ち、圧力センサ、表示ユニット、データインタフェース、データメモリ、電子的評価ユニットのうち、一つ、複数またはすべてが前記ケーシングカバーに組み込まれていることが好ましい。
（形態１７）前記消火装置バルブにおいて、前記消火装置バルブは、湿式警報バルブ、または乾式警報バルブ、または水噴射消火バルブ、パイロット制御される乾式警報バルブであることが好ましい。
（形態１８）消火装置、特にスプリンクラー消火装置または水噴射消火装置であって、流体パイプを阻止および解放するために、前記消火装置バルブが配置されている一つ以上の流体パイプを備えたこと。
（形態１９）前記消火装置において、前記消火装置バルブは、データインタフェースを有し、前記消火装置は、前記消火装置バルブの前記データインタフェースの読み出しのために前記消火装置バルブと接続されているデータ処理ユニットを有することが好ましい。
（形態２０）前記消火装置において、前記データ処理ユニットは、前記データインタフェースから読み出された情報を分析し、この分析に依存して、以下のイベント、即ち、前記消火装置バルブが正常に動作しているか否かに関してのメッセージの出力、流体パイプ内に十分に高い流体圧が存在するか否かに関してのメッセージの出力、流体パイプ内に十分に高い流体圧が存在しないことに関してのメッセージの出力、および／または前記消火装置バルブが開放されたことに関してのメッセージの出力のうち、一つ、複数またはすべてをトリガするように構成されていることが好ましい。
（形態２１）消火装置バルブ、とりわけ前記消火装置バルブの状態監視のための方法であって、以下の方法ステップ、即ち、
（ａ）流体入口室および／または流体出口室内の圧力値を検出するステップ、
（ｂ）圧力限界値を予設定するステップ、
（ｃ）好ましくは検出された圧力値が予設定された前記圧力限界値を超過または下回る場合、状態情報、および／またはメッセージ、とりわけメッセージデータファイルの形のメッセージを一つ以上のあらかじめ規定された受信部に伝送するステップ、および／または、好ましくは検出された圧力値が予設定された前記圧力限界値を超過または下回る場合、データインタフェースを介して閉鎖体の阻止状態または解放状態を変更するステップ
を含むこと。
（形態２２）前記方法において、前記予設定は、圧力スイッチの選択または調整により行われることが好ましい。
（形態２３）前記方法において、前記方法ステップ（ｃ）の前に、前記圧力値をデータメモリ内にある少なくとも一つのあらかじめ規定された圧力限界値と比較することが行われることが好ましい。
【国際調査報告】
2018504953.tif 000006
2018504953.tif 000007
2018504953.tif 000008
2018504953.tif 000009
2018504953.tif 000010
2018504953.tif 000011